(57)【要約】【課題】番組放送スケジュールが変化した場合でも、電源オン時に視聴者が習慣的に視聴していた番組のチャンネルを素早く選局する。【解決手段】自動選局装置１０は、視聴者がテレビジョン放送を視聴した日時範囲と曜日とチャンネルと番組タイトルとを含む視聴履歴情報２１を記録する記録手段と、このテレビジョン受像装置１００の電源オン時の時刻と曜日とに基づいて、該当する視聴履歴情報２１を取得し、取得した視聴履歴情報２１の中で、最も視聴回数の多いチャンネルと番組タイトルとの組合せを視聴者が視聴したい番組として選出する選出手段と、電源オン時にこのチャンネルを自動選局する選局手段とを備えた。【選択図】図１
2008193252.tif 000002
【特許請求の範囲】
【請求項１】
視聴履歴情報を記録する記録手段と、
電源オン時の時刻と曜日とに基づいて前記記録手段から視聴番組候補を選出する選出手段と、
前記選出手段で選出された前記視聴番組候補の番組タイトルが前記電源オン時の時間帯に放送されている番組として見出されたとき前記視聴番組候補のチャンネルを自動選局する選局手段とを備えたことを特徴とする自動選局装置。
【請求項２】
前記選出手段は、前記電源オン時の時刻と曜日とに基づいて前記記録手段から該当する時間帯の視聴履歴を抽出し、チャンネルと番組タイトルの組合せが同じ視聴履歴ごとの件数を集計し、前記件数が最も多い組の視聴履歴を前記視聴番組候補として選出することを特徴とする請求項１に記載の自動選局装置。
【請求項３】
前記視聴履歴情報の番組タイトルが電子番組ガイドから取得されて前記記録手段に記録されることを特徴とする請求項１又は請求項２のいずれか一項に記載の自動選局装置。
【請求項４】
前記選局手段は、前記視聴番組候補のチャンネルに基づいて前記電源オン時の時間帯の前記電子番組ガイドを検索して前記視聴番組候補の番組タイトルと同じ番組タイトルが見出された場合に、前記視聴番組候補のチャンネルを自動選局することを特徴とする請求項３に記載の自動選局装置。
【請求項５】
前記選局手段は、前記視聴番組候補のチャンネルに基づいて前記電源オン時の時間帯の前記電子番組ガイドを検索して前記視聴番組候補の番組タイトルと同じ番組タイトルが見出されなかった場合に、前記視聴番組候補が当該時間帯に存在しないことを表示する表示手段を備えたことを特徴とする請求項３に記載の自動選局装置。
【請求項６】
前記視聴番組候補のチャンネルを電源オン時の時間帯以外において検索し、当該番組タイトルが見つかった場合には当該番組の放送時間帯が他の放送時間帯に移動したことを示す第１の通知情報を出力し、当該番組タイトルが見つからなかった場合には前記視聴番組候補の番組が終了した可能性があることを示す第２の通知情報を出力することを特徴とする請求項５に記載の自動選局装置。
【請求項７】
前記選出手段で選出された前記視聴番組候補の番組タイトルが前記電源オン時の時間帯に放送されている番組として見出されなかったとき、前記選出手段は、前記記録手段に記録された視聴履歴のうち前記視聴番組候補の次に件数の多いチャンネルと番組タイトルの組合せを前記視聴番組候補として選出することを特徴とする請求項１乃至６のいずれか一項に記載の自動選局装置。
【請求項８】
視聴履歴情報を記録手段に記録する記録工程と、
電源オン時の時刻と曜日とに基づいて前記記録手段から視聴番組候補を選出する選出工程と、
前記選出工程で選出された前記視聴番組候補の番組タイトルが前記電源オン時の時間帯に放送されている番組として見出されたとき前記視聴番組候補のチャンネルを自動選局する選局工程とを備えたことを特徴とする自動選局方法。
【請求項９】
前記選出工程は、前記電源オン時の時刻と曜日とに基づいて前記記録手段から該当する時間帯の視聴履歴を抽出し、チャンネルと番組タイトルの組合せが同じ視聴履歴ごとの件数を集計し、前記件数が最も多い視聴履歴を前記視聴番組候補として選出することを特徴とする請求項８に記載の自動選局方法。
【請求項１０】
前記視聴履歴情報の番組タイトルが電子番組ガイドから取得されて前記記録手段に記録されることを特徴とする請求項８又は請求項９のいずれか一項に記載の自動選局方法。
【請求項１１】
前記選局工程は、前記視聴番組候補のチャンネルに基づいて前記電源オン時の時間帯の前記電子番組ガイドを検索して前記視聴番組候補の番組タイトルと同じ番組タイトルが見出された場合に、前記視聴番組候補のチャンネルを自動選局することを特徴とする請求項１０に記載の自動選局方法。
【請求項１２】
前記選局工程は、前記視聴番組候補のチャンネルに基づいて前記電源オン時の時間帯の前記電子番組ガイドを検索して前記視聴番組候補の番組タイトルと同じ番組タイトルが見出されなかった場合に、前記視聴番組候補が当該時間帯に存在しないことを表示することを特徴とする請求項１０に記載の自動選局方法。
【請求項１３】
前記視聴番組候補のチャンネルを電源オン時の時間帯以外において検索し、当該番組タイトルが見つかった場合には当該番組の放送時間帯が他の放送時間帯に移動したことを表示し、当該番組タイトルが見つからなかった場合には前記視聴番組候補の番組が終了した可能性があることを表示することを特徴とする請求項１２に記載の自動選局方法。
【請求項１４】
前記選出手段で選出された前記視聴番組候補の番組タイトルが前記電源オン時の時間帯に放送されている番組として見出されなかったとき、前記選出工程は、前記記録手段に記録された視聴履歴のうち前記視聴番組候補の次に件数の多いチャンネルと番組タイトルの組合せを前記視聴番組候補として選出することを特徴とする請求項８乃至１３のいずれか一項に記載の自動選局方法。
【発明の詳細な説明】
【技術分野】
【０００１】
本発明は、テレビジョン受像装置の自動選局装置及び自動選局方法に係り、特に、当該テレビジョン受像装置の電源オン時のチャンネルを、視聴者が習慣的に視聴している好みのチャンネルに自動選局する自動選局装置及び自動選局方法に関する。
【背景技術】
【０００２】
従来、テレビジョン受像装置などの放送電波を受信する機器では、電源オン時にチャンネル変更のための操作を行わないで済むように、電源オフ時のラストチャンネルをメモリに記憶して、次回の電源オン時にこのラストチャンネルを自動選局する方法が採られていた。しかしながら、視聴者が電源オン時に視聴したいとするチャンネルは、電源オフ時のラストチャンネルではなく、習慣的に視聴している番組のチャンネルである場合が多く、このチャンネルが電源オン時に自動選局されると便利である。
この種の従来技術として、下記の特許文献１に記載のものが開示されており、この選局装置及び、選局方法は、曜日毎、時間毎に、視聴者が視聴した放送チャンネルをチャンネルデータ記録テーブルに記録することで、電源オン時に、このチャンネルデータ記録テーブルを参照して視聴者が習慣的に視聴している放送チャンネルを選局することができる構成になっている。
【特許文献１】特開２００１−１８５９９２号公報
【発明の開示】
【発明が解決しようとする課題】
【０００３】
しかしながら、上記特許文献１の選局方法では、番組改編で番組の放送時間帯が変更された場合に視聴者が習慣的に視聴していた番組を視聴することができないなど、番組放送スケジュールの変更に素早く対応することができない問題があった。
【０００４】
本発明は、上述した事情に鑑みてなされたものであり、上述のような問題を解決することができる自動選局装置及び自動選局方法を提供することを目的とする。
【課題を解決するための手段】
【０００５】
本発明の自動選局装置は、視聴履歴情報を記録する記録手段と、電源オン時の時刻と曜日とに基づいて前記記録手段から視聴番組候補を選出する選出手段と、前記選出手段で選出された前記視聴番組候補の番組タイトルが前記電源オン時の時間帯に放送されている番組情報として見出されたとき前記視聴番組候補のチャンネルを自動選局する選局手段とを備えたことを特徴とする。
また、本発明の自動選局装置は、前記選出手段が、前記電源オン時の時刻と曜日とに基づいて前記記録手段から該当する時間帯の視聴履歴を抽出し、チャンネルと番組タイトルの組合せが同じ視聴履歴ごとの件数を集計し、前記件数が最も多い組の視聴履歴を前記視聴番組候補として選出することを特徴とする。
また、本発明の自動選局装置は、前記視聴履歴情報の番組タイトルが電子番組ガイドから取得されて前記記録手段に記録されることを特徴とする。
また、本発明の自動選局装置は、前記選局手段が、前記視聴番組候補のチャンネルに基づいて前記電源オン時の時間帯の前記電子番組ガイドを検索して前記視聴番組候補の番組タイトルと同じ番組タイトルが見出された場合に、前記視聴番組候補のチャンネルを自動選局することを特徴とする。
また、本発明の自動選局装置は、前記選局手段が、前記視聴番組候補のチャンネルに基づいて前記電源オン時の時間帯の前記電子番組ガイドを検索して前記視聴番組候補の番組タイトルと同じ番組タイトルが見出されなかった場合に、前記視聴番組候補が当該時間帯に存在しないことを特徴とする。
また、本発明の自動選局装置は、前記視聴番組候補のチャンネルを電源オン時の時間帯以外において検索し、当該番組タイトルが見つかった場合には当該番組の放送時間帯が他の放送時間帯に移動したことを示す第１の通知情報を出力し、当該番組タイトルが見つからなかった場合には前記視聴番組候補の番組が終了した可能性があることを示す第２の通知情報を出力することを特徴とする。
また、本発明の自動選局装置は、前記選出手段で選出された前記視聴番組候補の番組タイトルが前記電源オン時の時間帯に放送されている番組情報として見出されなかったとき、前記選出手段は、前記記録手段に記録された視聴履歴のうち前記視聴番組候補の次に件数の多いチャンネルと番組タイトルの組合せを前記視聴番組候補として選出することを特徴とする。
また、本発明の自動選局方法は、視聴履歴情報を記録手段に記録する記録工程と、電源オン時の時刻と曜日とに基づいて前記記録手段から視聴番組候補を選出する選出工程と、前記選出工程で選出された前記視聴番組候補の番組タイトルが前記電源オン時の時間帯に放送されている番組情報として見出されたとき前記視聴番組候補のチャンネルを自動選局する選局工程とを備えたことを特徴とする。
また、本発明の自動選局方法は、前記選出工程が、前記電源オン時の時刻と曜日とに基づいて前記記録手段から該当する時間帯の視聴履歴を抽出し、チャンネルと番組タイトルの組合せが同じ視聴履歴ごとの件数を集計し、前記件数が最も多い視聴履歴を前記視聴番組候補として選出することを特徴とする。
また、本発明の自動選局方法は、前記視聴履歴情報の番組タイトルが電子番組ガイドから取得されて前記記録手段に記録されることを特徴とする。
また、本発明の自動選局方法は、前記選局工程が、前記視聴番組候補のチャンネルに基づいて前記電源オン時の時間帯の前記電子番組ガイドを検索して前記視聴番組候補の番組タイトルと同じ番組タイトルが見出された場合に、前記視聴番組候補のチャンネルを自動選局することを特徴とする。
また、本発明の自動選局方法は、前記選局工程が、前記視聴番組候補のチャンネルに基づいて前記電源オン時の時間帯の前記電子番組ガイドを検索して前記視聴番組候補の番組タイトルと同じ番組タイトルが見出されなかった場合に、前記視聴番組候補が当該時間帯に存在しないことを表示することを特徴とする。
また、本発明の自動選局方法は、前記視聴番組候補のチャンネルを電源オン時の時間帯以外において検索し、当該番組タイトルが見つかった場合には当該番組の放送時間帯が他の放送時間帯に移動したことを表示し、当該番組タイトルが見つからなかった場合には前記視聴番組候補の番組が終了した可能性があることを表示することを特徴とする。
また、本発明の自動選局方法は、前記選出手段で選出された前記視聴番組候補の番組タイトルが前記電源オン時の時間帯に放送されている番組情報として見出されなかったとき、前記選出工程は、前記記録手段に記録された視聴履歴のうち前記視聴番組候補の次に件数の多いチャンネルと番組タイトルの組合せを前記視聴番組候補として選出することを特徴とする。
【発明の効果】
【０００６】
本発明によれば、電源オンされた時間帯で視聴回数の最も多い番組タイトルとそのチャンネルの組を視聴番組候補として視聴履歴情報から抽出し、該抽出された視聴番組候補と同じチャンネルで現在放送されている番組タイトルを電子番組ガイドから検索し、電子番組ガイドに視聴番組候補の番組タイトルが見つかった場合は、上記抽出された視聴番組候補のチャンネルに自動選局されるので、電源オン時に視聴者の好みの番組を視聴することができるようになる。
また、電源オンされた時間帯で上記視聴番組候補の番組タイトルが電子番組ガイドの番組タイトルに見当たらなかった場合でも、更に電子番組ガイドの他の時間帯を検索し、番組タイトルが見つかった場合は番組の放送時間帯が他の放送時間帯に移動したこと、また、番組タイトルが見つからなかった場合は、番組が終了した可能性があることを視聴者に通知することができる。
また、上記視聴番組候補のチャンネルに自動選局されなかった場合でも、次に視聴回数の多い番組タイトルとそのチャンネルの組を視聴番組候補として視聴履歴情報から順に抽出して、視聴回数の多い順に自動選局することができる。また、視聴番組候補を表示して視聴者のチャンネル選局を促すこともできる。
【発明を実施するための最良の形態】
【０００７】
以下に、図面を参照して、本発明の実施の形態について説明する。
本実施の形態における自動選局装置１０は、図１の構成ブロック図に示すように、テレビジョン受像装置１００に搭載され、制御部１、チューナー部２、時間監視部３、記憶部４などから概ね構成されている。また、この自動選局装置１０はテレビジョン受像装置１００の表示部５と接続されている。また、テレビジョン受像装置１００にはリモコン受信部８が備わり、テレビジョン受像装置１００に付属されたリモコン７を視聴者が操作すると、その操作信号がリモコン受信部８で受信され、リモコン受信部８からこの操作信号を受けた制御部１によりテレビジョン受像装置１００が操作されるようになっている。
【０００８】
制御部１は、ＣＰＵ（中央処理装置）などからなり、記憶部４に記憶されている各種処理プログラムを実行し、チューナー部２、時間監視部３、記憶部４、表示部５などの構成各部を制御する。
チューナー部２は、アンテナ部６で受信された放送番組のチャンネル選局を行い、選局したチャンネルの番組データを取得する。
時間監視部３は、チューナー部２で選局されたチャンネルの開始日時、終了日時、開始日時から終了日時までの経過時間（視聴時間）などを取得する。
【０００９】
記憶部４は、ＲＡＭ、ＲＯＭ、ハードディスク装置などの記録装置であり、各種データ用の格納領域２０、各種処理プログラム用の格納領域３０などから構成され、各種データ用の格納領域２０には、視聴履歴情報２１、格納条件情報２２、番組情報２３などが含まれている。
【００１０】
視聴履歴情報２１は、視聴者がテレビジョン受像装置１００を使用して、テレビジョン放送を視聴した履歴情報であり、この視聴履歴情報２１には、視聴日時（開始日時、終了日時）、曜日、チャンネル、番組タイトルなどの情報が含まれている。また、この視聴日時が複数の日付に跨る場合は、視聴履歴を日付毎に区分して、その曜日と１対１に対応するように登録されている。また、この視聴履歴情報２１の視聴履歴登録期間は例えば１ヶ月間とし、視聴日時が１ヶ月経過した古い視聴履歴は電源オン時に自動削除される。また、視聴履歴情報２１に登録された番組タイトルが番組情報２３の番組タイトルになかった場合、当該番組タイトルは視聴履歴情報２１から削除することもできるように構成される。
【００１１】
格納条件情報２２には、視聴履歴情報２１に視聴履歴を登録する条件として最低視聴時間などの情報が登録されており、この最低視聴時間以下の視聴時間に該当する視聴履歴は、視聴履歴情報２１へ登録がされないようになっている。最低視聴時間には例えば１分が設定されており、視聴者が放送中の番組を視聴する際に、視聴したい番組を探すために短時間でチャンネル間をサーチするような視聴履歴は、視聴履歴情報２１に登録されない。
【００１２】
番組情報２３には、放送電波の一部として送られる電子番組ガイドから取得した番組情報が登録されており、この番組情報２３には、放送日時、曜日、放送時間、放送チャンネル、番組タイトル、番組ジャンルなどの情報が含まれている。
【００１３】
各種処理プログラム用の格納領域３０には、記録プログラム３１、選出プログラム３２、選局プログラム３３、削除プログラム３４などのプログラムが格納されており、その処理概要を以下に示す。
【００１４】
記録プログラム３１は、視聴者がテレビジョン放送を視聴した日時と曜日とチャンネルとに基づいて番組情報２３から該当する番組タイトルを取得し、上記視聴日時と曜日とチャンネルの情報に更に上記取得した番組タイトルを付加し視聴履歴情報２１として登録するプログラムである。
【００１５】
選出プログラム３２は、テレビジョン受像装置１００の電源オン時の時刻と曜日とに基づいて、電源オン時の時刻と曜日の時間帯に放送されている番組タイトルとそのチャンネルの組合せを視聴履歴情報２１から取得し、その中で、最も視聴回数の多いチャンネルと番組タイトルとの組合せを視聴者が視聴したい視聴番組候補として選出するプログラムである。
【００１６】
選局プログラム３３は、選出プログラム３２で選出した視聴番組候補におけるチャンネルに基づいて、電源オン時の時刻と曜日の時間帯における当該チャンネルに対応した番組タイトルを番組情報２３から取得し、番組情報２３から取得した番組タイトルと選出プログラム３２で選出した上記視聴番組候補の番組タイトルとが一致した場合は、選出プログラム３２で選出した視聴番組候補のチャンネルを自動選局するプログラムである。
【００１７】
また、番組情報２３で検索した番組タイトルと選出プログラム３２で選出した視聴番組候補の番組タイトルとが不一致の場合は、視聴番組候補の番組が現在の時間帯では放送されていないことを表示部５に表示する。また、このように不一致となった場合には、更に同じチャンネルの他の時間帯を番組情報２３で検索する。そして、選出プログラム３２で選出した視聴番組候補と同じ番組タイトルが見つかった場合はこの番組が他の放送時間帯に移動したことを表示部５に表示し、また、選出プログラム３２で選出した視聴番組候補と同じ番組タイトルが見つからなかった場合はこの番組が終了した可能性があることを表示部５に表示する。
【００１８】
削除プログラム３４は、視聴履歴情報２１に登録された古い視聴履歴や不要な視聴履歴を削除するプログラムである。選局プログラム３３を実行時に選出プログラム３２で選出した視聴番組候補と同じ番組タイトルが見つからなかった場合はこの番組の放送時間帯が移動したか終了した可能性があるとして視聴履歴情報２１の記録から削除する場合に実行される。この削除処理は、選出プログラム３２で選出した番組候補と同じ番組タイトルが見つからなかった場合に削除メニューを表示部５に表示し視聴者の入力にしたがって直ちに削除処理を実行することができるが、テレビジョン受像装置１００の電源オンの直後に自動的に実行することもできる。この場合には選出プログラム３２で選出した視聴番組候補に削除の識別子を設定しておき、電源オン時に削除プログラム３４を実行し、この識別子が設定された視聴履歴を視聴履歴情報２１の登録から自動的に削除すればよい。
【００１９】
また削除プログラム３４は、視聴日時が１ヶ月以前の日付が記録されている視聴履歴を自動的に削除するプログラムでもある。この削除処理は、時間経過を監視して視聴日時が１ヶ月経過した時点で自動削除されるようにすることができるが、本実施の形態ではテレビジョン受像装置１００の電源オンの直後に実行される。
【００２０】
表示部５は、テレビジョン受像装置１００に接続されている液晶ディスプレイ装置などであり、テレビジョン放送で放送される映像の他に、記憶部４の各種処理プログラム用の格納領域３０に格納されている各種処理プログラムが出力する通知メッセージなどがＯＳＤ表示される。
【００２１】
以下、自動選局装置１０の動作について、図２乃至図４のフローチャートを参照して説明する。
【００２２】
まず、図２のフローチャートのステップＡ１において、テレビジョン受像装置１００の電源オンが行われると、視聴履歴情報２１に1ヶ月以上経過した視聴履歴がある場合にはこの履歴を削除し、また、削除の識別子が付加された視聴履歴がある場合にはこの視聴履歴を削除する。
【００２３】
次にステップＡ２において、電源オン時のチャンネル選局処理を実行し選局が行われる。ステップＡ２のチャンネル選局処理については図３〜図４を参照して後述する。
【００２４】
次にステップＡ３において、時間監視部３は電源オンの日時（視聴開始日時）から経過時間の計測を開始する。
【００２５】
次にステップＡ４において、制御部１は、リモコン７からの電源オフ信号を受信したか否かの判定を行なう。
【００２６】
ステップＡ４において電源オフであると判断されなかったとき、ステップＡ５に進み、制御部１はリモコンからのチャンネル変更信号を受信したか否かの判定を行なう。
【００２７】
ステップＡ５においてチャンネル変更信号を受信したと判断された場合はステップＡ６に進む。ステップＡ６において、制御部１はチャンネル変更信号をチューナー部２に送信し、チューナー部２はその変更チャネルに基づいて選局する。また、制御部１はチャンネル変更信号を時間監視部３に送信する。時間監視部３は、制御部１からのチャンネル変更信号を受信すると、変更前のチャンネルを視聴していた経過時間と、チャンネル変更信号の受信日時（視聴終了日時）とを制御部１に送信する。
【００２８】
ステップＡ５においてチャンネル変更信号を受信しなかった場合はステップＡ４に戻る。
【００２９】
ステップＡ６の処理の後ステップＡ７に進み、制御部１は、ステップＡ６で取得した経過時間と格納条件情報２２に記憶された最低視聴時間を比較する。ステップＡ７で経過時間と最低視聴時間を比較した結果、経過時間の方が小さい場合は、ステップＡ４へ戻る。
【００３０】
ステップＡ７で経過時間と最低視聴時間を比較した結果、経過時間の方が大きい場合ステップＡ８に進む。ステップＡ８において、制御部１は、ステップＡ２で取得したチャンネルと、ステップＡ３での視聴開始日時とＡ６でのチャンネル変更信号の受信日時（視聴終了日時）と、この視聴日時範囲（視聴開始日時、視聴終了日時）から求めた曜日と、ステップＡ６で取得した経過時間の情報を作成する。この視聴日時範囲から曜日を求める際には、予め、カレンダー情報などを登録しておき、そのカレンダー情報を参照して求める。
【００３１】
次にステップＡ９に進み、制御部１は、ステップＡ８で作成したチャンネル、視聴日時範囲、曜日、経過時間の情報に基づいて番組情報２３を検索し該当する番組タイトルを取得する。そして、この取得した番組タイトルをステップＡ８で作成したチャンネル、視聴日時範囲、曜日、経過時間の情報に付加し、視聴履歴情報２１に視聴履歴を登録する。次に、ステップＡ４へ戻り処理を継続する。
【００３２】
ステップＡ４に戻った後にステップＡ５に進んでチャンネル変更が繰り返され、更にステップＡ８に進んだ場合、このステップＡ８での処理内容は、変更前のチャンネルと、視聴日時範囲（前回チャンネル変更日時、今回チャンネル変更日時）と、この視聴日時範囲から求めた曜日と、ステップＡ６で取得した経過時間の情報を作成する。
【００３３】
ステップＡ４において、リモコン７から電源オフ信号を受信した場合は、制御部１は電源オフ信号を時間監視部３に送信して、ステップＡ１０へ分岐する。時間監視部３は、制御部１からの電源オフ信号を受信すると、電源オフ前のチャンネルを視聴していた経過時間と、電源オフ信号の受信日時（視聴終了日時）とを制御部１に送信する。電源オンからチャンネル変更が一度もなく電源オフされた場合、上記電源オフ前のチャンネルを視聴していた経過時間は、ステップＡ３で取得された電源オン日時から電源オフまでの経過時間が取得され、最低視聴時間を超えたチャンネル変更があった場合、ステップＡ６で最後に取得されたチャンネル変更受信日時から電源オフ受信日時までの経過時間が取得される。
【００３４】
次にステップＡ１１へ進み、制御部１は、時間監視部３からの経過時間を受信して、この経過時間と格納条件情報２２に記憶された最低視聴時間を比較する。ステップＡ１１で経過時間と最低視聴時間を比較した結果、経過時間の方が小さい場合は視聴履歴として視聴履歴情報２１に登録しないので処理を終了する。
【００３５】
ステップＡ１１で経過時間と最低視聴時間を比較した結果、経過時間の方が大きい場合はステップＡ１２に進み、制御部１は、電源オフ直前に視聴していたチャンネルと、その視聴日時範囲（視聴開始日時、視聴終了日時）と、この視聴日時範囲から求めた曜日と、ステップＡ１０で取得した経過時間の情報を作成する。この視聴日時範囲から曜日を求める際には、予め、カレンダー情報などを登録しておき、そのカレンダー情報を参照して求める。
【００３６】
次にステップＡ１３に進み、制御部１は、ステップＡ１２で作成したチャンネル、視聴日時範囲、曜日、経過時間の情報のチャンネルと視聴開始日時とに基づいて、番組情報２３を検索して該当する番組タイトルを取得し、この番組タイトルをステップＡ１２で作成したチャンネル、視聴日時範囲、曜日、経過時間の情報に付加し、視聴履歴情報２１に視聴履歴として登録し、処理を終了する。
【００３７】
また、各ステップの実行時にテレビジョン受像装置１００の電源スイッチにより電源が強制オフされた場合、制御部１は、バッテリーバックアップを利用して、電源スイッチがオフされる直前に視聴していた最終チャンネルと電源スイッチがオフされた日時、曜日を緊急退避して記憶し、次回の電源オン直後（ステップＡ１を実行する前）に、これら緊急退避した最終チャンネルと電源スイッチがオフされた日時、曜日を基に視聴履歴情報２１に視聴履歴を登録するようにリカバリー処理を行う。
【００３８】
次に、ステップＡ２で実行される電源オン時のチャンネル選局処理について図３を参照して説明する。
【００３９】
テレビジョン受像装置１００の電源オンが行われると制御部１は、図２に示したステップＡ１を実行した後図３のステップＢ１に進み、時間監視部３からの電源オンの日時を取得し、取得した日時から求めた曜日とその時刻とに基づいて、該当する時間帯の視聴履歴を視聴履歴情報２１から抽出する。
【００４０】
次にステップＢ２に進み、制御部１は、ステップＢ１において視聴履歴情報２１より抽出した視聴履歴で、チャンネルと番組タイトルとの組合せが同一である視聴履歴ごとに件数を集計する。この集計された件数を基にチャンネルと番組タイトルの組を降順に並べる。そして、最も件数の多いチャンネルと番組タイトルとの組合せを視聴番組候補として取得する。
【００４１】
次にステップＢ３に進み、制御部１は、ステップＢ２で取得した視聴番組候補のチャンネル情報に基づいて、番組情報２３と照合する。
【００４２】
ステップＢ３において、電源オンした時間帯の視聴番組候補の番組タイトルが番組情報２３の番組タイトルと一致した場合はステップＢ４に進む。
【００４３】
ステップＢ４において、制御部１は、視聴番組候補のチャンネルをチューナー部２に送信する。チューナー部２は、制御部１からのチャンネルを受信すると、そのチャネルに基づいて選局し、ステップＡ３に進む。
【００４４】
ステップＢ３での照合結果が不一致の場合はステップＢ５に進み、最後の順位の視聴番組候補かチェックする。最後の順位の視聴番組候補であると判断された場合（ＹＥＳ）には、ステップＢ３において最後の順位の視聴番組候補も一致しなかったことになるのでステップＢ１０に進み、電源オフ時のラストチャンネルを選局してステップＡ３に進む。
【００４５】
ステップＢ５において最後の順位の視聴番組候補でないと判断された場合（ＮＯ）にはステップＢ６に進む。ステップＢ６では、更に番組情報２３における同じチャンネルの他の時間帯を検索し、該当する番組タイトルがあるかどうかをチェックする。
【００４６】
ステップＢ６において、選出プログラム３２で選出したと同じ番組タイトルが見つかった場合（ＹＥＳ）はステップＢ７に進み、この番組が他の放送時間帯に移動したことを表示部５に表示する。
【００４７】
またステップＢ６において、選出プログラム３２で選出した視聴番組候補と同じ番組タイトルが見つからなかった場合（ＮＯ）はステップＢ８に進み、この番組が終了した可能性があることを表示部５に表示する。
【００４８】
ステップＢ７又はステップＢ８の次にステップＢ９に進む。番組情報２３に同じ番組タイトルが見つからなかった場合は、電源オン時の時間帯に視聴番組候補に該当する番組が放送されていないことを意味するから、次善の策としてステップＢ９において視聴回数の多いチャンネルと番組タイトルの組を次の視聴番組候補として視聴履歴情報２１から選択し、ステップＢ３に戻る。ステップＢ３に戻ることにより、次の視聴番組候補の番組タイトルも番組情報２３に見つからなかった場合でも、視聴番組候補の順位を下げて選局可能かどうか順次チェックを行なうことができる。なお、ステップＢ７とステップＢ８の報知機能を不要とする場合は、ステップＢ５からステップＢ９に進むことで可能になる。
【００４９】
次にステップＢ９の視聴番組候補の選択処理を図４を参照して説明する。ステップＢ９の詳細ステップを図４のステップＣ１〜Ｃ３で示す。
【００５０】
図４に示すように、ステップＢ７又はステップＢ８の次にステップＣ１に進む。
【００５１】
ステップＣ１において、次回の電源オン時に図２のステップＡ１で上記視聴番組候補を削除するために、削除識別子を設定して視聴履歴情報２１を更新する。なお、ステップＢ３での照合結果が不一致の場合、一時的にその番組が中止または移動されたことも考えられるから、ステップＣ１において表示部５に削除メニューを表示させ、視聴者の判断で識別子を設定してもよい。また、削除識別子を設定せず削除メニューから直ちにこの視聴番組候補を削除するようにしてもよい。
【００５２】
次にステップＣ２に進み、上記削除識別子を設定された視聴番組候補を除き、制御部１は、視聴履歴情報２１からチャンネルと番組タイトルとの組合せを抽出し、チャンネルと番組タイトルとの組合せが同一である視聴履歴ごとに件数を集計する。この集計された件数を基にチャンネルと番組タイトルの組を降順に並べ直す。
【００５３】
次にステップＣ３に進み、上記ステップＣ２で最上位に位置するチャンネルと番組タイトルの組を次の視聴番組候補に選択する。
【００５４】
次にステップＢ３に戻り同様の処理が継続される。最終的に視聴番組候補に該当する番組タイトルが電源オン時の時間帯に見つけることができればステップＢ４においてチャンネル選局することができる。もし最後の順位に位置する視聴履歴でも見つけることができなかったときは、前回の電源オフ時のラストチャンネルをステップＢ１０において選局することができる。
【００５５】
このようにすれば、最も視聴回数の多い番組タイトルが見つからなかったときでも次に視聴回数の多い番組を選局でき、更に２番目に視聴回数の多い番組タイトルが見つからなかったときでも次に視聴回数の多い番組を選局できるというように、視聴回数の多い順に番組が選択されて選局されるようになる。また、番組タイトルが見つからなかったときは番組の放送時間帯が移動したか終了した可能性があることを視聴者に通知することができる。
【００５６】
なお、ステップＢ９において視聴番組候補の選択は自動的に行なわれるが、ステップＣ３において候補チャンネルを表示画面にＯＳＤ表示させ、視聴者にリモコン操作で選択させるようにしてもよい。
【００５７】
本実施の形態によれば、ステップＡ１〜ステップＡ９に示したように、過去に視聴した視聴履歴情報２１の番組タイトルと現在の番組情報２３の番組タイトルとを比較し、番組タイトルが一致した場合は、習慣的に視聴していた番組のチャンネルを自動選局することができる。また、番組改編時期などの番組放送スケジュールが変化した場合でも放送時間帯が他の放送時間帯に移動したことが視聴者に通知でき、また番組タイトルが見つからなかった場合は、番組が終了した可能性があることを視聴者に通知できる。したがって番組変更に素早く対応することができるようになる。このように、視聴者に対して、習慣的に視聴していた番組の自動選局は、番組変更も含めた精度の高い自動選局を提供することができる。なお、テレビジョン受像装置１００の機能として、本発明による自動選局方法と、従来技術によるラストチャンネル選局方法との両機能を有し、ユーザーがリモコン操作等により容易に機能選択するようにしてもよい。
【００５８】
以上、本発明の実施の形態について図面を参照して詳述してきたが、具体的な構成はこれらの実施の形態に限られるものではなく、本発明の要旨を逸脱しない範囲の設計の変更などがあっても本発明に含まれる。
例えば、上述の実施の形態では、電子番組ガイドからの番組情報２３は、テレビジョン受像装置１００の電源オンを行った際に、インターネットを介して、最新の番組情報２３を検索するようにしてもよい。
【図面の簡単な説明】
【００５９】
【図１】本発明の実施の形態である自動選局装置の構成を示すブロック図である。
【図２】本発明の実施の形態である自動選局装置の動作フローチャートである。
【図３】本発明の実施の形態である自動選局装置の電源オン時のチャンネル選局処理を示すフローチャートである。
【図４】本発明の実施の形態である自動選局装置の視聴番組候補の選択動作を示すフローチャートである。
【符号の説明】
【００６０】
１・・・制御部
２・・・チューナー部
３・・・時間監視部
４・・・記憶部
５・・・表示部
６・・・アンテナ部
７・・・リモコン（リモートコントローラ）
８・・・リモコン受信部
１０・・・自動選局装置
２０・・・各種データ用の格納領域
２１・・・視聴履歴情報
２２・・・格納条件情報
２３・・・番組情報
３０・・・各種処理プログラム用の格納領域
３１・・・記録プログラム
３２・・・選出プログラム
３３・・・選局プログラム
３４・・・削除プログラム
１００・・・テレビジョン受像装置
【図１】
2008193252.tif 000003
【図２】
2008193252.tif 000004
【図３】
2008193252.tif 000005
【図４】
2008193252.tif 000006